Podtech/llm-jp-corpus-v4-ja_patent huggingface dataset:
(57)【要約】【課題】病室等のグレアをカットできる範囲を容易に変更できる照明器具を提供する。【解決手段】可視光が透過するカバーを複数に分割し、その夫々８−１・８−２・８−３を調光ガラスとし、その夫々８−１・８−２・８−３の光学特性を電気的に個別に制御可能とする。【選択図】      図１
2004165113.tif 000002
【特許請求の範囲】
【請求項１】
可視光が透過するカバーを複数に分割し、その夫々を調光ガラスとし、その夫々の光学特性を電気的に個別に制御可能とすることを特徴とする調光ガラスカバー付き照明器具。
【請求項２】
主に病室に使用するカバー付き器具において、カバーに可視光の透過する状態を電気的に二種類（透明・透過率７５％・拡散効果なし・電源をＯＮ、不透明・透過率７０％、拡散効果あり・電源をＯＦＦ）選択可能な調光ガラスを用い、器具効率をあまり変化させずに（部屋の平均照度をあまり変えずに）、遮光（グレアカット）角を可変とし、病室の寸法及びレイアウトに合わせて、遮光（グレアカット）角を選択可能とし、さらに分割した調光ガラスカバーの各々を電気的に制御することによって照明ゾーンとグレアカットゾーンを可変可能とした事を特徴とする調光ガラスカバー付き照明器具。
【発明の詳細な説明】
【０００１】
【発明の属する技術分野】
本発明は病室に使用する調光ガラスカバー付き器具の構造に関する。
【０００２】
【従来の技術】
従来の病室用照明器具は図５に示すように、構造的に遮光角が固定されており、病室のレイアウト変更や病室寸法相違に対処できない。さらに照明方法を変更（照明ゾーンとグレアカットゾーンの変更）しようとした場合、器具自体を変更しなければならず、器具効率が以前と大きく変わることもあった。
【０００３】
【発明が解決しようとする課題】
前記従来技術は遮光角が固定されているため、器具とベットとの間の位置関係はほぼ固定されており、病室のレイアウト変更あるいは病室寸法の相違に対処できず、所定の性能を維持できない（患者がグレアを感じる）、照明方法を変更しようにもできないという問題があった。
本発明の目的は、前記した問題を解決した器具を提供することにある。
【０００４】
【課題を解決するための手段】
上記目的を達成するために、カバーに調光ガラスを用い、そのカバーを分割し、各々を個別に制御可能とし、遮光角（グレアカット）を可変とし、器具の交換を必要とせずに、かつ器具効率を大きく変えずに照明方法の変更を可能としたものである。
カバーを額縁によってランプ軸方向に下面カバー枚、側面カバー二枚、斜め側面カバー二枚に分割した構造とする。このカバーに調光ガラスを用いる。下面カバー、側面カバー、及び斜め側面カバーの制御を分割し、各々の制御を遠隔操作スイッチにより行う。これにより、各カバーの可視光の透過する状態（透明あるいは不透明）を独立して変えることができ、結果として遮光角を可変とすることができる。さらに、照明方法を変えることができる。
【０００５】
【発明の実施の形態】
本発明の実施形態を図１により説明する。本器具は本体と額縁で構成されており、本体を天井１２に固定して使用する。本体は本体１、反射板２および機能部品であるソケット５、ランプ６、安定器７で構成されている。
一方、額縁は額縁３と側面調光ガラスカバー８−１、斜め側面調光ガラスカバー８−２、下面調光ガラスカバー８−３で構成され、各調光がガラスカバーは固定金具１３で額縁に固定されている。
各調光ガラスカバー８−１・８−２・８−３を図３に示すように、各々電気的に独立して制御することにより、透明カバー・不透明カバーを任意に選択でき、その結果、遮光（グレアカット）角を変えることができ、図４に示すような照明ゾーンとグレアカットゾーンを任意に選択できる。遮光角の変更とそれに伴う照明ゾーンの変更を実施しても、器具効率および部屋の平均照度に大きな変化はない。
【０００６】
【発明の効果】
本発明にいおれば、前記のように遮光（グレアカット）角を調光ガラスの電気的オンオフにより変更できるため、病室等のレイアウト変更および様々な寸法の病室に対して所定の性能を維持できる。また、調光ガラスの透明・不透明状態の組み合わせにより、器具効率をあまり変えずにグレアをカットできる範囲を容易に変更できる。
【図面の簡単な説明】
【図１】本発明器具の一部切り欠き側面図である。
【図２】その斜視図である。
【図３】その電気系統図である。
【図４】従来器具の断面図である。
【図５】その斜視図である。
【符号の説明】
１：器具本体、２：反射板、３：額縁、４：ソケット取付台、５：ランプソケット、６：ランプ、７：安定器、８−１：側面調光ガラスカバー、８−２：斜め側面調光ガラスカバー、８−３：下面調光ガラスカバー、９：カバー（乳白）、１０：カバー（クリア）、１１：取付ビス、１２：天井：１３：固定金具
【図１】
2004165113.tif 000003
【図２】
2004165113.tif 000004
【図３】
2004165113.tif 000005
【図４】
2004165113.tif 000006
【図５】
2004165113.tif 000007
【図６】
2004165113.tif 000008
【手続補正書】
【提出日】平成15年2月6日(2003.2.6)
【手続補正１】
【補正対象書類名】明細書
【補正対象項目名】図面の簡単な説明
【補正方法】変更
【補正の内容】
【図面の簡単な説明】
【図１】本発明器具の一部切り欠き側面図である。
【図２】その斜視図である。
【図３】その電気系統図である。
【図４】その動作説明図である。
【図５】従来器具の断面図である。
【図６】その斜視図である。
【符号の説明】
１：器具本体、２：反射板、３：額縁、４：ソケット取付台、５：ランプソケット、６：ランプ、７：安定器、８−１：側面調光ガラスカバー、８−２：斜め側面調光ガラスカバー、８−３：下面調光ガラスカバー、９：カバー（乳白）、１０：カバー（クリア）、１１：取付ビス、１２：天井：１３：固定金具
(57)【要約】【課題】適度な大きさの水抜き孔５を設けることができ、なおかつ、光源は蓋体８によって塞ぎ、大きな虫の入り込みも防げる屋外用照明器具を提供する。【解決手段】屋外用照明器具には不可欠な水抜き孔５を形成するに当たり、光源が直視できず、なおかつ大きな虫の入り込みを防ぐ為、水抜き孔５を若干の隙間を残して塞ぐ蓋体８を設ける。さらにカバー本体６と蓋体８との間に透光パネル７を狭持させ、カバー本体６と透光パネル７を一体にする。【選択図】      図１
2004165116.tif 000002
【特許請求の範囲】
【請求項１】
建築物に固定する器具本体を備え、前記器具本体の下面に固定される光源を備え、前記器具本体および光源の下面側を覆うように着脱自在に装着される透光カバーを備え、前記透光カバーは周面に複数の透光窓を形成しかつ下面に水抜き孔を形成するカバー本体と前記各透光窓を塞ぐように配置される各透光パネルと前記水抜き孔を若干の隙間を残して塞ぐ蓋体とを含み、
前記各透光パネルに前記器具本体・カバー本体間に挟持される上側延長部を形成し、前記各透光パネルに前記透光窓を越えて前記水抜き孔付近に至る下側延長部を形成し、前記各下側延長部を前記水抜き孔の周縁部と前記蓋体との間に挟特し、
前記水抜き孔へ前記蓋体を装着する構造を該蓋体を垂直軸回りに回転して結合しあるいは緩める回転引掛け構造としたことを特徴とする屋外用照明器具。
【発明の詳細な説明】
【０００１】
【発明の属する技術分野】
本発明は、屋外用照明器具の透光カバーの構造に関する。
【０００２】
【従来の技術】
屋外用照明器具の透光カバーは、雨水が浸入した際に雨水が抜ける様、透光カバー下面に一定の大きさのある水抜き孔が設けられていた。また、透光カバーは、複数の透過窓を持っているカバー本体と前記透過窓を塞ぐように配置される透光パネルから成るが、光源の交換が容易なように器具本体との着脱が自在になっていた。
【０００３】
【発明が解決しようとする課題】
上記従来技術は、透光カバー下面の水抜き孔から光源が直視できるといった意匠的な問題や大きな虫が入り込むといった問題があつた。また、光源の交換など透光カバーを着脱する際に、カバー本体と透光パネルが分離してしまい、透光パネルを落下させるなどといった問題があつた。本発明の目的は、これらの問題を無くすことにある。
【０００４】
【課題を解決するための手段】
本発明においては、屋外用照明器具には不可欠な水抜き孔を形成するに当たり、光源が直視できず、なおかつ、大きな虫の入り込みを防ぐ為、水抜き孔を若干の隙間を残して塞ぐ蓋体を設けることとした。さらに、カバー本体と蓋体との間に透光パネルを狭持させ、カバー本体と透光パネルを一体にすることとした。
【０００５】
【発明の実施の形態】
本発明の実施形態を説明する。図１に示す器具本体１は、壁面取り付けの構造を成しており、支柱２先端に笠３と光源４を装着している。透光カパーは、周面に複数の透光窓を形成しかつ下面に略十字形の水抜き孔５を形成するカバー本体６と前記各透光窓を塞ぐように配置される各透光パネル７と前記水抜き孔５を若干の隙間Ｂを残して塞ぐ蓋体８とを含み、前記各透光パネル７に前記透光窓を越えて前記水抜き孔５付近に至る下側延長部を形成し、前記蓋体８上面周縁部に傾斜面８Ｂ、上側に前記水抜き孔５を挿通する突起８Ａを形成し、該蓋体８を装着し垂直軸回りに回転することにより、前記各下側延長部を前記水抜き孔５の周縁部と前記蓋体８の突起８Ａとの間に挟持し透光カバーを一体化するとともに、前記水抜き孔５と前記傾斜面８Ｂとにより、水抜き経路を形成する構造とし、前記笠３と着脱自在に装着される。
【０００６】
【発明の効果】
本発明によれば、以上の構成から、適度な大きさの水抜き孔を設けることができ、なおかつ、光源は、蓋体によって塞ぎ、大きな虫の入り込みも防げる。さらに、透光パネルを狭持している為、落下させるといったことがなくなる。
【図面の簡単な説明】
【図１】本発明の器具取付状態を表す斜視図である。
【図２】そのカバー本体の下面図である。
【図３】その蓋体の上面図である。
【図４】その蓋体の側面図である。
【図５】その透光カバー構成を表す上面図である。
【図６】その透光カバー構成を表す側断面図である。
【図７】その水抜き経路の構成を表す図５のＡ−Ａ断面図である。
【図８】その透光カバーを採用した屋外用照明器具の側面主要部断面図である。
【符号の説明】
１…器具本体、２…支柱、３…笠、４…光源、５…水抜き孔、６…カバー本体、７…透光パネル、８…蓋体
【図１】
2004165116.tif 000003
【図２】
2004165116.tif 000004
【図３】
2004165116.tif 000005
【図４】
2004165116.tif 000006
【図５】
2004165116.tif 000007
【図６】
2004165116.tif 000008
【図７】
2004165116.tif 000009
【図８】
2004165116.tif 000010
(57)【要約】【課題】電気コンセント本体を従来の縦型から横型に、カバーを設けたカバー付き電気コンセントを提供する。【解決手段】電気コンセント本体（１）にプラスチック性のカバー（２）を電気コンセント本体の頭部（３）に設けた事を特徴とする。【選択図】      図１
2004165120.tif 000002
【特許請求の範囲】
【請求項１】
電気コンセント本体（１）を横向きにして、カバーを（２）設け、頭部に取り外し式（３）に設けたカバー付き電気コンセント。
【発明の詳細な説明】
【０００１】
【発明の属する技術分野】
この発明は、電気コンセント本体を横向きに、カバーを設けたカバー付き電気コンセントに関するものである。
【０００２】
【従来の技術】
従来の電気コンセントは、縦型でカバーの無いものだった。
【０００３】
【発明が解決しようとする課題】
これは次のような欠点があった。
（イ）コンセント本体が縦型のためアダプターなどの大きめの物を使うと２個差す事ができなくて不便だった。
（ロ）コンセントの差し込み部分にほこりなどがたまり火災の原因となる事が考えられた。
本発明は、これらの欠点を除くためになされたものである。
【０００４】
【課題を解決するための手段】
コンセント本体（１）を横型にし、カバー（２）をコンセント本体の頭部（３）に取りつける物である。
本発明は、以上の構成よりなるカバー付き電気コンセントである。
【０００５】
【発明の実施の形態】
以下、本発明の実施の形態について説明する。
【０００５】
【発明の実施の形態】
以下、本発明の実施の形態について説明する。
電気コンセント本体（１）を横型にし、プラスチック性のカバー（２）を電気コンセント本体の頭部（３）に取り外し式にして、設ける。
プラスチック性のカバー（２）は、部屋に合った色などにバリエーション豊かにし、見た目も美しくする。
本発明は、以上のような構造でこれを使用する時は、カバーを持ち上げるか取り外して使用する。
また、縦型から横型にしたためアダプターなどの大きなコンセントも２個きちんと差しこんで使用することができる。
【０００６】
【発明の効果】
コンセント本体を横型に設けたため、どんな形のコンセントも２個同時に使用する事が可能となった。
どの家庭にも使用されていないコンセントがあると思うが、本体にカバーを設けた事によって差し込み部にほこり等などがたまる事がなくなり、安全面等（火災や子供のいたずら等）が解消される。
【図面の簡単な説明】
【図１】本発明の分解斜視図
【図２】本発明の使用状態を示す斜視図である。
【符号の説明】
１  電気コンセント本体
２  プラスチック性のカバー
３  電気コンセント本体の頭部とプラスチック性のカバーの接続部（凹凸部）
【図１】
2004165120.tif 000003
【図２】
2004165120.tif 000004
(57)【要約】【課題】照明器具の取外し作業を容易にすると共に、Ｔバー４１が口の字配置された天井で器具本体１０に取付いている反射板６０をＴバー４１より（寄り戻しなどで）取外すことの出来ない構造のシステム天井照明器具をＴバー４１よりの取外しを可能にする。【解決手段】天井面４５に配設する断面がほぼ逆Ｔ字形の複数のＴバー４１を備える。該天井面４５に配置する照明器具本体１０を備える。前記照明器具本体１０に該本体端部から延存して前記Ｔバー４１の頭部４２に上側から載る本体支持金具２０を設ける。前記本体支持金具２０に弾性傾動可能なように保持される板状の抑えバネ３０を設ける。前記抑えバネ３０の下端側に前記頭部４２に対してその下側から係合する係止部３２を形成する。前記照明器具本体１０に操作窓１２を形成する。前記操作窓１２の位置を本体１０内側から該窓１２を介して棒材を突き出して前記固定バネの上端側を押すことが可能であり、それによって該抑えバネを傾動させて前記係合の解除が可能な箇所に定める。【選択図】      図１
2004165111.tif 000002
【特許請求の範囲】
【請求項１】
天井面に配設する断面がほぼ逆Ｔ字形の複数のＴバーを備え、該天井面に配置する照明器具本体を備え、前記照明器具本体に該本体端部から延存して前記Ｔバーの頭部に上側から載る本体支持金具を設け、前記本体支持金具に弾性傾動可能なように保持される板状の抑えバネを設け、前記抑えバネの下端側に前記頭部に対してその下側から係合する係止部を形成し、前記照明器具本体に操作窓を形成し、前記操作窓の位置を本体内側から該窓を介して棒材を突き出して前記固定バネの上端側を押すことが可能であり、それによって該抑えバネを傾動させて前記係合の解除が可能な箇所に定めたことを特徴とするシステム天井形照明装置。
【発明の詳細な説明】
【０００１】
【発明の属する技術分野】
本発明は、Ｔバー工法で施工された天井に取付けて使用するシステム天井照明器具に関する。
【０００２】
【従来の技術】
図５・図６・図７・図８により説明する。天井取付後（施工後）のシステム天井照明器具をＴバー４０より取外す場合に、先に反射板６０を反射板支持金具７０に固定する為の止めネジ９０を外したのち、反射板支持金具７０に取付いている反射板６０をＴバー５０に対し寄り戻して外し、Ｔバー頭部下側４２に係合された抑えバネ８０に形成された係止部８２を指などで引き弾性斜動させてＴバー頭部５２の下端側より係合解除を行わないとＴバー５０より照明器具を取外すことが出来ない構造であった。
【０００３】
【発明が解決しようとする課題】
上記従来技術の問題点となっていたシステム天井照明器具をＴバーより取外す場合に、器具本体に取付いている反射板などの部品を器具本体より取り外さずまた、器具本体内面よりの操作でＴバーより器具本体を外すことを可能にする技術を考案することにある。
【０００４】
【課題を解決するための手段】
照明器具本体に操作窓を形成し、操作窓の位置を本体内側から窓を介して棒材を突き出して、抑え金具の上端側を押すことにり金具を傾動させてＴバーに係合たれた抑えバネの解除しＴバーよりの器具本体の取外しを可能とする。
【０００５】
【発明の実施の形態】
図１・図２・図３・図４により説明する。断面がほぼ逆Ｔ字形の複数のＴバー４０が天井面４６に配設された天井おいて、該天井面４６に配置する照明器具本体１０は、該本体端部１０から延存してＴバー４０の頭部４２に上側から載る本体支持金具２０により天井に施工される構造のシステム天井照明器具には、本体支持金具２０に弾性傾動が可能なように保持される板状の抑えバネ３０が装着されており、抑えバネ３０はＴバー頭部４２下端側に対してその下側から係合する係止部３２を形成しており、照明器具本体１０のＴバー（天井）に対する固定（浮き上がり防止）を図っている。
照明器具本体１０に操作窓１２を形成し、操作窓１２は本体内側から該操作窓１２を介して棒材５０を突き出してＡ方向に抑えバネ３０の上端側を押すことが可能な位置に形成し、照明器具をＴバー（天井）より取外す場合は、照明器具本体１０内面より棒材５０が操作窓１２を介して抑えバネ３０の上端側を押すことにより、本体支持金具２０に保持された抑えバネ３０が支点３４より弾性傾動し、Ｔバー頭部５２と抑えバネとの係合の解除し照明器具のＴバー（天井）よりの取外しを可能にする。
【０００６】
【発明の効果】
本発明によれば、照明器具の取外し作業を容易にすると共に、Ｔバーが口の字配置された天井で器具本体に取付いている反射板をＴバーより（寄り戻しなどで）取外すことの出来ない構造のシステム天井照明器具をＴバーよりの取外しを可能にする。
【図面の簡単な説明】
【図１】本発明技術を示す断面図（天井取付け状態）
【図２】本発明技術を示す斜視図（天井取付け状態）
【図３】本発明技術を示す断面図（取外し図）
【図４】本発明技術を示す斜視図（取外し図）
【図５】従来技術を示す断面図（天井取付け状態）
【図６】従来技術を示す断面図（取外し図イ）
【図７】従来技術を示す断面図（取外し図ロ）
【図８】従来技術を示す断面図（取外し図ハ）
【符号の説明】
１０．．．本発明の器具本体
１２．．．器具本体に形成された操作窓
２０．．．本体１０に延存し固定された本体支持金具
３０．．．本体支持金具２０へ斜動可能に装着された抑えバネ
３２．．．抑えバネ３０に形成された係止部
３４．．．抑えバネ３０の弾性傾動時の支点
４１．．．天井面に配設された断面がほぼ逆Ｔ字形のＴバー
４２．．．Ｔバー４０の頭部
４６．．．天井
５０．．．係止部をＴバー頭部４２より解除操作する解除棒
６０．．．従来技術の反射板
７０．．．反射板６０を支持する反射板支持金具
８０．．．反射板支持金具７０へ斜動可能に装着された抑えバネ
８２．．．抑えバネ８０に形成された係止部
９０．．．反射板６０を反射板支持金具に固定する止めネジ
【図１】
2004165111.tif 000003
【図２】
2004165111.tif 000004
【図３】
2004165111.tif 000005
【図４】
2004165111.tif 000006
【図５】
2004165111.tif 000007
【図６】
2004165111.tif 000008
【図７】
2004165111.tif 000009
【図８】
2004165111.tif 000010
(57)【要約】【課題】簡易形投光器の前面にプリズム断面形状を持つカバー５を設け、表面を紫外線吸収材を添加した合成樹脂６皮膜で被覆し、防虫及び退色防止並びに光害防止機能を持たせる。【解決手段】看板及び作業現場等に使用する簡易形の投光器において、前面にプリズム断面形状を持つカバー５を設け、カバー５の表面を紫外線吸収材を添加した合成樹脂６被膜で被覆し、防虫及び退色防止並びに光害防止を図る。【選択図】      図１
2004165118.tif 000002
【特許請求の範囲】
【請求項１】
看板及び作業現場等に使用する簡易形の投光器において、前面にプリズム断面形状を持つカバーを設け、カバーの表面を紫外線吸収材を添加した合成樹脂被膜で被覆し、防虫及び退色防止並びに光害防止を特徴とする投光器。
【発明の詳細な説明】
【０００１】
【発明の属する技術分野】
本発明は、簡易形の投光器に防虫及び退色並びに光害防止効果を持たせる構造に関する。
【０００２】
【従来の技術】
従来の簡易形投光器は、ランプホルダに、ランプを裸の状態で取り付ける為、ランプ固有の分光分布特性及び配光特性が、そのまま器具の照明特性となっていった。
【０００３】
【発明が解決しようとする課題】
従来の簡易投光器は、図３の様に構成されており、ランプホルダに、ランプを裸の状態で取付ける為、ランプ固有の分光分布特性及び配光特性がそのまま器具の照明特性となり、夜間、昆虫を集め、周囲に不必要な光が漏れるという問題があった。
本発明の目的は、簡易投光器の前面にプリズム断面形状を持つカバーを設け、表面を紫外線吸収材を添加した合成樹脂皮膜で被覆し、防虫及び退色防止並びに光害防止機能を持たせることにある。
【０００４】
【課題を解決するための手段】
上記目的を達成する為に、簡易投光器の前面にプリズム断面形状を持つカバーを設け、表面を紫外線吸収材を添加した合成樹脂皮膜で被覆したものである。
プリズム断面形状を持つカバーは、上方光束を抑える為、周囲に不必要な光が漏れるのを防止できる。又、カバー表面を、昆虫が最も強く感じる波長域をカットする紫外線吸収材を添加した合成樹脂皮膜で被覆するので、昆虫の集まるのを防ぎ、かつ、被照物の退色を防ぐことができる。
【０００５】
【発明の実施の形態】
本発明の実施形態を図１・２により説明する。  本発明投光器は、ランプホルダ１とカバー５により構成されており、ランプホルダ１は、ランプソケット２、ランプ３で構成されている。
一方、カバー部分は、枠７に、紫外線吸収材入り合成樹脂被膜６を被覆したカバー５を取付け、それをランプホルダ１に取付けたシェード４から延びている４本の枠支持器具９に取付ビス８で固定している。  本実施例によれば、プリズム断面形状を持つカバー５は、上方光束を抑える為、周囲への光害を防止する効果がある。  又、カバー表面を、紫外線吸収材を添加した合成樹脂皮膜で被覆しているので、防虫と退色防止の効果がある。
【０００８】
【発明の効果】
本発明によれば、プリズム断面形状のカバーにより、上方光束が抑えられるので、周囲への光害を防止する効果がある。  又、カバー表面を、紫外線吸収材入りの合成樹脂で被覆するので、夜間、昆虫が集まるのを防ぎ被照物の退色を防ぐ効果がある。
【図面の簡単な説明】
【図１】本発明器具の断面図である。
【図２】そのプリズム断面形状を持つカバーの断面の拡大図である。
【図３】従来器具を示す断面図である。
【符号の説明】
１…ランプホルダ、２…ランプソケット、３…ランプ、４…シェード、５…カバー、６…紫外線吸収材入り合成樹脂、７…枠、８…取付ビス、９…枠支持金具
【図１】
2004165118.tif 000003
【図２】
2004165118.tif 000004
【図３】
2004165118.tif 000005
(57)【要約】【課題】埋込み形器具であるが直付形器具としても使用できる他、点灯回路部品を冷やすための放熱板なども不要となる理込み形蛍光灯器具を提供する。【解決手段】器具本体１０を備え、前記器具本体１０の下面側に配置される反射板３０を備え、前記反射板３０の下面側に配置される蛍光ランプ６０を備え、前記器具本体１０・反射板３０間のスペースに装着される点灯回路部品４０を備え、前記器具本体１０の箇所を天井面５０の埋め込み孔５４へ埋め込んで使用する埋込み形蛍光灯器具において、前記器具本体１０は天面板部１２とその端縁から立ち下がる側面板部１４を具備し、前記反射板３０の端緑は前記天面板部１２より低所に位置し、前記反射板３０の前記緑部と前記側面板部１４の下綾部との間に前記器具本体１０の内部に連適する通風孔９２を形成し、前記天面板部１２に前記器具本体１０内部と連適する通気孔１８を形成し、前記天面板部１２の上面側に前記通気孔１８よりも高所に位置する複数の突起部２０を形成する。【選択図】      図３
2004165114.tif 000002
【特許請求の範囲】
【請求項１】
器具本体を備え、前記器具本体の下面側に配置される反射板を備え、前記反射板の下面側に配置される蛍光ランプを備え、前記器具本体・反射板間のスペースに装着される点灯回路部品を備え、前記器具本体の箇所を天井面の埋め込み孔へ埋め込んで使用する埋込み形蛍光灯器具において、
前記器具本体は天面板部とその端縁から立ち下がる側面板部を具備し、前記反射板の端緑は前記天面板部より低所に位置し、前記反射板の前記緑部と前記側面板部の下綾部との間に前記器具本体の内部に連適する通風孔を形成し、
前記天面板部に前記器具本体内部と連適する通気孔を形成し、前記天面板部の上面側に前記通気孔よりも高所に位置する複数の突起部を形成したことを特徴とする埋込み形蛍光灯器具。
【発明の詳細な説明】
【０００１】
【発明の属する技術分野】
本発明は，埋込み形蛍光灯器具の構造に関する。
【０００２】
【従来の技術】
従来技術の埋込み形蛍光灯器具の構造は、図１に示す様に本体天面板部１２の上面側に突起部が無いため、図２に示すように直付形器具として使用する場合に天面板部１２が天井面５２に密着し、点灯回路部品の温度を下げるための通気穴１８を形成することができないなどの問題がある。
【０００３】
【発明が解決しようとする課題】
本発明の目的、前記従来技術の問題点となっていた上記問題を解決した器具を提供することにある。
【０００４】
【課題を解決するための手段】
本発明は本体天面板部の上面側に突起部と通風穴を設けることにより直付状態で本体内部の点灯装置周辺の空気の流通ができるようにしたものである。
【０００５】
【発明の実施の形態】
図３・４を用いて本発明の実施形態について説明する。図示のごとく、器具本体１０を備え、前記器具本体１０の下面側に配置される反射板３０を備え、前記反射板３０の下面側に配置される蛍光ランプ６０を備え、前記器具本体１０・反射板間３０のスペースに装着される点灯回路部品４０を備え、前記器具本体１０の箇所を天井面５２の埋め込み孔５４へ埋め込んで使用する埋め込み形蛍光灯器具において、前記本体１０の天面板部１２に通気用の孔１８を設けると共に直付けした場合に本体１０の天面板部１２が天井面５２に密着しないように複数の突起部２０を形成している。
直付けした場合の点灯回路周辺の空気の流れは、図３に示すように本体１０の天面板部１２と天井面５２の間に突起部２０により空間９４ができるので本体１０から立ち下がる側面板部１４と反射板３０の端緑３２との間にできる通風孔９２より器具本体１０の内部に入った空気は、本体天面板部１２の通気孔１８より前記空間９４に流れ出ることで点灯回路部品４０を空冷する効果がある。
【０００６】
【発明の効果】
本発明によれば、埋込み形器具であるが直付形器具としても使用できる他、点灯回路部品を冷やすための放熱板なども不要となる。
【図面の簡単な説明】
【図１】従来器具の取付状態を示す側面の部分断面図である。
【図２】同器具を直付器具として使用の場合を示す側面の部分断面図である。
【図３】本発明器具を示す取付けた状態の側面部分断面図である。
【図４】その取付状態を示す斜視図である。
【符号の説明】
１０…器具本体
１２…本体の天面板部
１４…本体の側面板部
１６…本体側面板部の下部
１８…通気孔
２０…突起部
３０…反射板
３２…反射板の端緑
４０…点灯回路部品
５０…天井材
５２…天井面
５４…埋み込み孔
６０…蛍光ランプ
７０…取付ボルト
８０…ナット
９０…スラブ
９２…通風孔
９４…空間
【図１】
2004165114.tif 000003
【図２】
2004165114.tif 000004
【図３】
2004165114.tif 000005
【図４】
2004165114.tif 000006
(57)【要約】【課題】本体側点灯回路と反射板側ソケット間での配線処理があり、作業性が悪い。それを解決する。【解決手段】器具本体９とそれらの下面側に配置する環状蛍光ランプ３と以上の両者を下側から覆う透光カバー４を備える。前記器具本体９は反射板１２を兼ねた本体ユニット１と蓋２を含む。前記本体ユニット１は天井面に接する中央天板部９Ａと該中央天板部９Ａの周囲に連接する環状溝部９Ｂと該環状溝部９Ｂの周囲に連接しかつ前記天井面に接する周縁天板部を具備する。前記蓋２は前記環状溝部９Ｂを上側から塞ぐドーナツ状の部品である。前記環状溝部９Ｂの底面９Ｄに装着される点灯回路部品１０を備える。前記環状溝部９Ｂから下方側に一部が突出しかつ前記環状蛍光ランプ３の口金部と着脱自在に接続されるランプソケット５を備える。【選択図】      図１
2004165112.tif 000002
【特許請求の範囲】
【請求項１】
器具本体とそれらの下面側に配置する環状蛍光ランプと以上の両者を下側から覆う透光カバーを備え、前記器具本体は反射板を兼ねた本体ユニットと蓋を含み、前記本体ユニットは天井面に接する中央天板部と該中央天板部の周囲に連接する環状溝部と該環状溝部の周囲に連接しかつ前記天井面に接する周縁天板部を具備し、前記蓋は前記環状溝部を上側から塞ぐドーナツ状の部品であり、前記環状溝部の底面に装着される点灯回路部品を備え、前記環状溝部から下方側に一部が突出しかつ前記環状蛍光ランプの口金部と着脱自在に接続されるランプソケットを備えたことを特徴とする天井直付け形照明器具。
【発明の詳細な説明】
【０００１】
【発明の属する技術分野】
本発明は天井直付け形照明器具における、反射板を兼ねた本体ユニットと蓋から形成される器具に関する。
【０００２】
【従来の技術】
従来器具は、本体に点灯回路ユニットを備え、反射板にソケットを備え、前記反射板で蓋をしていた。
【０００３】
【発明が解決しようとする課題】
前記本体側点灯回路と反射板側ソケット間での配線処理があり、作業性が悪い。それを解決する。
【０００４】
【課題を解決するための手段】
本発明においては、本体は天井面に接する中央天板部と該中央天板部の周囲に連接する環状溝部と該環状溝部の周囲に連接しかつ前記天井面に接する闇緑天板部を具備したものとし、前記本体の蓋は、前記本体環状溝部を上側から塞ぐドーナツ状の部品とする。
前記本体環状溝部の底面には、装着される点灯回路部品を備え、前記本体環状溝部から下方側に一部が突出しかつ前記本体環状蛍光ランプの口全部と着脱自在に接続されるランプソケットを備えた本体ユニットとする。
【０００５】
【発明の実施の形態】
本発明の実施形態を図により説明する。図１に本発明による、器具全体概略図を示す。蓋２で塞がれた反射板を兼ねた本体ユニット１の下面に環状蛍光ランプ３を配置し下側から覆う透光カバー４を備えた天井直付け形照明器具である。図２に本発明の本体ユニット構成図を示す。本体９は天井面に接する中央天板部９Ａと該中央天板部９Ａの周囲に連接する環状溝部９Ｂと該環状溝部９Ｂに連接しかつ前記天井面に接する周緑天板部９Ｃを具備し、前記蓋２は前記環状溝部９Ｂを上側から塞ぐドーナツ状の部品であり、前記環状溝部９Ｂの底面９Ｄに装着される電源接続端子６を装着した点灯回路部品１０を備え、前記環状溝部９Ｂから下方側に一部が突出しかつ前記環状蛍光ランプ口金部３と着脱自在に接続される５ランプソケット５を備える。本構成により、本体９の環状溝部９Ｂで、各部品の収納及び配線処理が完了する。
図３に従来本体構成図を示す。従来本体に１０点灯回路部品１０を備え、また、１２反射板１２に５ランプソケット５を備える。１３配線１３は、１０点灯回路部品１０と５ランプソケット５の電気的接続をする為の配線であり、１２反射板１２を１１従来本体１１に取り付ける際に接続することになる。
【０００６】
【発明の効果】
本発明によれば、本体の環状溝部で点灯回路部品の取り付けや配線処理が完了する為、作業効率及び部品使用量が削減できる。また、点灯回路部品を天井面から離れた面に取り付けている為、点灯回路部品による異常過熱による天井面の保護対策においても条件が良い。さらに、反射板を兼ねたほぼ一体形の本体形状により、器具としての強度増加も図れる。
【図面の簡単な説明】
【図１】本発明器具の全体概略図である。
【図２】その本体ユニット構成図である。
【図３】従来器具の本体構成図である。
【符号の説明】
１．．．本体ユニット、２．．．蓋、３．．．環状蛍光ランプ、４．．．透光カバー、５ランプソケット、６．．．電源接続器、７Ａ．．．ランプホルダＡ、７Ｂ．．．ランプホルダＢ、８．．．カバー引掛金具、９．．．本体、９Ａ．．．中央天板部、９Ｂ．．．環状溝部、９Ｃ．．．周緑天板部、９Ｄ．．．底面、１０．．．点灯回路部品、１１．．．従来本体、１２．．．反射板、１３．．．配線
【図１】
2004165112.tif 000003
【図２】
2004165112.tif 000004
【図３】
2004165112.tif 000005
(57)【要約】【課題】小形・省電力で使い勝手の良い電気スタンドを得る。【解決手段】支柱３０を備える。前記支柱３０の下端部に形成するスタンドベース２０を備える。前記支柱３０の上端部に形成するスタンド頭部１０を備える。前記スタンド頭部１０に多数の発光ダイオード１４を配置する。前記スタンドベース２０に前記各発光ダイオード１４へ給電する蓄電池２８を内蔵する。前記スタンドベース２０に前記蓄電池２８を充電する充電器２９を内蔵する。前記充電器２９に商用電源電圧を降圧するダウントランスを設ける。前記蓄電器２８・充電器２９の重みで前記スタンドベース２０を机上面等の上に安定に載置する。【選択図】      図１
2004165115.tif 000002
【特許請求の範囲】
【請求項１】
支柱を備え、前記支柱の下端部に形成するスタンドベースを備え、前記支柱の上端部に形成するスタンド頭部を備え、前記スタンド頭部に多数の発光ダイオードを配置し、前記スタンドベースに前記各発光ダイオードへ給電する蓄電池を内蔵し、前記スタンドベースに前記蓄電池を充電する充電器を内蔵し、前記充電器に商用電源電圧を降圧するダウントランスを設け、前記蓄電器・充電器の重みで前記スタンドベースを机上面等の上に安定に載置することを特徴とする電気スタンド。
【発明の詳細な説明】
【０００１】
【発明の属する技術分野】
本発明は、卓上形電気スタンドに関し、特に、光源に発光ダイオードを備え電源に蓄電池を使用した製品構造に関するものである。
【０００２】
【従来の技術】
従来の技術は、光源に発光ダイオードを備え、交流電源により点灯させるタイプがある。また、蓄電池を備えたものとしては、一般型の蛍光灯を光源に用いたタイプがある。
【０００３】
【発明が解決しようとする課題】
上記従来技術における発光ダイオードを光源に用いた製品は、交流電源により点灯を行うので、電力消費の少ない発光ダイオードを備えた割に容量が大きくなってしまう。また、家庭用コンセントからの電源供給ととなるためコンセントの近傍でしか使用できず使用用途が限られる。
本発明は、小形・省電力で使い勝手の良い電気スタンドを得ることを目的とする。
【０００４】
【課題を解決するための手段】
本発明における電気スタンドは、スタンド頭部に光源となる発光ダイオードを備える。スタンドベース部に前記発光ダイオードに給電するための蓄電池および前記蓄電池を充電する充電器を備え、前記充電器には家庭用コンセントに接続する差し込みプラグを備える。
【０００５】
【発明の実施の形態】
図示の実施形態について説明する。図１に示すように、本発明の電気スタンドは、光源を備えたセード部１０と点灯用電源類を備えたベース部２０、前記セード部とベース部を可動自在に接続する支柱部３０を主体とする。
図２に主要部の分解構造図を示す。セード部１０は、光源を覆うセード１２と光源となる高輝度発光ダイオード１４を複数搭載した光源基板１６、配光を制御する反射板１８により構成している。ベース部２０は、外郭となるベース２２、および底板２４により構成し、内部には点滅のためのスイッチ２６、点灯用電源となる蓄電池２８、前記蓄電池を充電する充電器２９を備えた。
本器具の特長は、高輝度発光ダイオードの搭載数量を使用用途ならびに照度、また、蓄電池容量、大きさなどに合わせて適宜加減することによって配光制御および器具のコンパクト化が可能である。また、ベース部に内蔵する蓄電池および充電器は、比較的重量が嵩む部品であるので、これらをバランスよく配置することで転倒安定性を向上させることが可能である。
【０００６】
【発明の効果】
上記のように本発明による電気スタンドは、使用目的に合わせて配光制御ならびにコンパクト化が図れ、また、充電式にしたことによって持ち運びが容易となり使い勝手の良い電気スタンドが得られる。また、ベース部に内蔵する部品重量を利用して転倒安定性を向上させたことにより、通常、安定性向上のために搭載するバランサーを廃止することができ、コスト的に有利となる。
【図面の簡単な説明】
【図１】本発明の電気スタンドの外観図である。
【図２】本発明の電気スタンドの主要部分解構造図である。
【符号の説明】
１０：セード部、２０：ベース部、２９：充電器、１２：セード、２２：ベース、３０：支柱、１４：高輝度発光ダイオード、２４：底板、１６光源基板、２６：スイッチ、１８反射板、２８：蓄電池
【図１】
2004165115.tif 000003
【図２】
2004165115.tif 000004
(57)【要約】      （修正有）【課題】プリアライナへの位置合わせのためのウエハの載せ換えを必要としないウエハ搬送ロボットハンドを提供することを課題とする。【解決手段】ロボットハンド４１にウエハ２を保持するウエハ保持部８１，８２，８３，８４を回動自在に軸着し、前記保持部８４を駆動するモータとアクチュエータとウエハ２のノッチ２１を検出するノッチセンサ９を設ける。【選択図】  図３
2004165280.tif 000002
【特許請求の範囲】
【請求項１】
複数のウエハ保持部を回動自在に軸着し、前記ウエハ保持部を駆動する駆動装置とウエハのノッチを検出する検出装置を設けたことを特徴とするウエハ搬送用ロボットハンド。
【発明の詳細な説明】
【０００１】
【発明の属する技術分野】
本発明は、ウエハを搬送する搬送用ロボットのロボットハンドに関するものである。
【０００２】
【従来の技術】
従来、ウエハをマーキングする際には、所定の位置にマーキングするため、図１に示すようにウエハカセット１からウエハ２を搬送用ロボット３のロボットハンド４により、先ずウエハ２のノッチの位置合わせをするためにプリアライナ５の回転盤６上に置き、ウエハ２のノッチの位置合わせを行った後、再びロボットハンド４により作業ステージ７へと搬送する（従来の搬送用ロボットとプリアライナについては非特許文献１、非特許文献２の商品カタログ参照。）。
【０００３】
しかし、上記搬送工程ではウエハのノッチの位置合わせのためにプリアライナ５への載せ換えのための時間的ロスと、プリアライナ自体の設置スペースが必要であった。
【０００４】
【非特許文献１】
ＳＷＨＲ３１５６，株式会社ジェーイーエル，２０００年１１月
【非特許文献２】
ＳＡＬ４８Ｃ１，株式会社ジェーイーエル，２０００年１１月
【０００５】
【発明が解決しようとする課題】
そこで、本発明は、プリアライナへの位置合わせのためのウエハの載せ換えを必要としないウエハ搬送用ロボットハンドを提供することを課題とするものである。
【０００６】
【課題を解決するための手段】
本発明は、上記課題を解決するためになされたもので、複数のウエハ保持部を回動自在に軸着し、前記ウエハ保持部を駆動する駆動装置とウエハのノッチを検出する検出装置を設けたウエハ搬送用ロボットハンドである。
【０００７】
【発明の実施の形態】
図２は、本発明の一実施例を示す平面図、図３は一実施例であるロボットハンドの拡大平面図、図４はその側面図で、２１はウエハ２に設けられたノッチ、３１は搬送用ロボットの本体、４１はロボットハンド、８１，８２，８３，８４はウエハ２を保持する保持ピン、９はウエハ２のノッチ２１を検出するノッチセンサ、１０，１１は保持ピン８４を駆動するためのモータとアクチュエータである。
【０００８】
保持ピン８１，８２，８３，８４はロボットハンド４１に回動自在に軸着され、保持ピン８１、８２は左右に移動し、ウエハ２を８１，８２，８３，８４で杷持してウエハカセット１からウエハ２を搬送する。次にロボットハンド４１は作業ステージ７までウエハ２を搬送し、搬送されたウエハ２のノッチ２１の位置合わせを行う。
【０００９】
モータ１０とアクチュエータ１１により保持ピン８４を回動させると、その回転力がウエハ２に伝わると共に保持ピン８１，８２，８３も合わせて回転するのでウエハ２を無理な応力により破損させることはない。
【００１０】
回転されたウエハ２のノッチ２１がノッチセンサ９の前にくると、ノッチセンサ９はノッチを検出してモータ１０を停止させ、ウエハ２のノッチ２１の位置合わせをすることができる。
【００１１】
【発明の効果】
以上、本発明によれば、ロボットハンド上でウエハのノッチの位置合わせをすることができるので、別途位置合わせのためのプリアライナを必要とせず、載せ換えのための時間のロスを省くことができる。
【図面の簡単な説明】
【図１】従来のウエハの搬送状態を示す概略平面図。
【図２】本発明の一実施例のウエハの搬送状態を示す概略平面図。
【図３】本発明の一実施例を示す拡大平面図。
【図４】本発明の一実施例を示す拡大側面図。
【符号の説明】
２      ウエハ
２１      ノッチ
４１      ロボットハンド
８１，８２，８３，８４      保持ピン
９      ノッチセンサ
１０      モータ
１１      アクチュエータ
【図１】
2004165280.tif 000003
【図２】
2004165280.tif 000004
【図３】
2004165280.tif 000005
【図４】
2004165280.tif 000006
(57)【要約】【課題】電気機器１の配線処理構造において作業及び構造の簡略化をすることで、作業性の向上をはかる。【解決手段】電気機器１の外皮に電源配線孔３を形成する。該外皮における前記電源配線孔３の近傍に補助孔２を形成する。前記電源配線孔３から入り前記補助２孔から出て連鎖する配線処理バンド４を設ける。外部から延びる電源配線６を、前記電源配線孔３を潜りかつ前記配線処理バンド４を潜るように前記外皮内へ導入し、前記配線処理バンド４にて前記電源配線６を拘束する。【選択図】      図１
2004165585.tif 000002
【特許請求の範囲】
【請求項１】
電気機器の外皮に電源配線孔を形成し、該外皮における前記電源配線孔の近傍に補助孔を形成し、前記電源配線孔から入り前記補助孔から出て連鎖する配線処理バンドを設け、外部から延びる電源配線を、前記電源配線孔を潜りかつ前記配線処理バンドを潜るように前記外皮内へ導入し、前記配線処理バンドにて前記電源配線を拘束したことを特徴とする電気機器の配線処理構造。
【発明の詳細な説明】
【０００１】
【発明の属する技術分野】
本発明は、電気機器の配線処理構造に関し、電気機器の外皮に電源配線孔を形成し、該外皮における前記電源配線孔の近傍に補助孔を形成し、前記電源配線孔から入り前記補助孔から出て連鎖する配線処理バンドを設け、外部から延びる電源配線を、前記電源配線孔を潜りかつ前記配線処理バンドを潜るように前記外皮内へ導入し、前記配線処理バンドにて前記電源配線を拘束したことを特徴とする電気機器の配線処理構造に関する。
【０００２】
【従来の技術】
従来の電気機器の配線処理構造は、電気機器の外皮に配線処理バンドを設け前記配線処理バンドにて電源配線を拘束し、前記電源配線上にカバーを取付ける構造になっていた。
【０００３】
【発明が解決しようとする課題】
本発明は、電気機器の配線処理構造において作業及び構造の簡略化をすることで、作業性の向上をはかることである。
【０００４】
【課題を解決するための手段】
上記目的を達成するために、電気機器の配線処理構造において、電気機器の外皮に電源配線孔を形成し、該外皮における前記電源配線孔の近傍に補助孔を形成し、前記電源配線孔から入り前記補助孔から出て連鎖する配線処理バンドを設け、前記配線処理バンドで電源配線を拘束することにより、目的を達成することができる。
【０００５】
【発明の実施の形態】
図１〜図４を用いて本発明の実施形態について説明する、電気機器１の外皮に電源配線孔３を形成し、該外皮における電源配線孔３の近傍に補助孔２を形成し、電源配線孔３から入り補助孔２から出て連鎖する配線処理バンド４を設ける。外部から延びる電源配線６を接続コネクター５接続後に電源配線孔３を潜りかつ配線処理バンド４を潜るように電気機器１の外皮内へ導入し、配線処理バンド４にて電源配線６を拘束することにより、作業性の向上及び電気機器の構造を簡略化することができる。
【０００６】
【発明の効果】
本発明によれば、電気機器の配線処理構造に関し、配線処理バンドにて電源配線を拘束するだけで、配線処理作業を終えることができる。
【図面の簡単な説明】
【図１】本発明構造のの斜視図である。
【図２】その別な斜視図である。
【図３】その別な斜視図である。
【図４】その別な斜視図である。
【図５】従来構造の斜視図である。
【図６】その別な斜視図である。
【符号の説明】
１．電気機器、２．補助孔、３．電源配線孔、４．配線処理バンド、５．。接続コネクター、６．電源配線、７．カバー
【図１】
2004165585.tif 000003
【図２】
2004165585.tif 000004
【図３】
2004165585.tif 000005
【図４】
2004165585.tif 000006
【図５】
2004165585.tif 000007
【図６】
2004165585.tif 000008
(57)【要約】【課題】成形体の内部にリード部と電極を溶接するスペースが必要で、小型化しにくい問題があった。外部に引き出された電極周辺の成形体部分にクラックが発生するおそれもあった。【解決手段】磁性粉に結合剤を混合して加圧成形してなる絶縁性の成形体１０と、成形体１０の内部に埋め込まれた巻線部２１及び成形体１０の外に導出されたリード部２２を有するコイル２０と、成形体１０の両端部にそれぞれ取付けられた金属板からなる電極３０とを備える。成形体１０の対向する側面に導出したリード部２２を、それぞれ成形体１０の側面に沿って折り曲げ、導電性接着剤４０によって成形体１０及びリード部２２に電極３０を接着する。【選択図】  図１
2004165539.tif 000002
【特許請求の範囲】
【請求項１】
磁性粉に結合剤を混合して加圧成形してなる絶縁性の成形体と、該成形体の内部に埋め込まれた巻線部及び該成形体の外に導出されたリード部を有するコイルと、成形体の両端部にそれぞれ取付けられた金属板からなる電極とを備え、成形体の対向する側面に導出したリード部を、それぞれ成形体の側面に沿って折り曲げるとともに、導電性接着剤によって成形体及びリード部に該電極を接着したことを特徴とするインダクタ。
【請求項２】
成形体の側面に導出したリード部の端末を、断面コの字形の電極で覆った請求項１のインダクタ。
【請求項３】
成形体の側面に導出したリード部の端末を、断面Ｌ字形の電極で覆った請求項１のインダクタ。
【発明の詳細な説明】
【０００１】
【発明の属する技術分野】
本発明は、ノートパソコンやビデオカメラ等の携帯型電子機器に組み込まれるＤＣ／ＤＣコンバータ等の回路素子として好適な面付け型のインダクタに関するものである。
【０００２】
【従来の技術】
磁性粉に結合剤（バインダ）を加えて加圧成形して得られる成形体の内部にコイルを埋設し、そのリード部を金属板からなる電極に接続したインダクタが用いられている。従来のこの種のインダクタとしては、特許第３１６０６８５号公報の図４や図５に記載されたものがある。
【０００３】
【特許文献１】
特許第３１６０６８５号公報
【０００４】
【発明が解決しようとする課題】
特許第３１６０６８５号公報の図４や図５に記載されたインダクタは、成形体の成形前にリード部と電極を抵抗溶接やリフロー溶接等の手段で接続され、接続部分は成形体の内部に埋設された形となる。このため、成形体の内部にはリード部と電極を溶接するスペースが必要で、小型化しにくい問題があった。また、成形時に成形体内部でコイルの巻線部と電極がショートする危険性がある。さらに、外部に引き出された電極周辺の成形体部分にクラックが発生するおそれもあった。本発明は、これらの問題を解消した小型化容易なインダクタを提供することを目的とする。
【０００５】
【課題を解決するための手段】
本発明のインダクタは、磁性粉に結合剤を混合して加圧成形してなる絶縁性の成形体１０と、成形体１０の内部に埋め込まれた巻線部２１及び成形体１０の外に導出されたリード部２２を有するコイル２０と、成形体１０の両端部にそれぞれ取付けられた金属板からなる電極３０とを備え、成形体１０の対向する側面に導出したリード部２２を、それぞれ成形体１０の側面に沿って折り曲げるとともに、導電性接着剤４０によって成形体１０及びリード部２２に電極３０を接着した構成を特徴とする。
【０００６】
【実施例】
本発明の一実施例について図１〜図４を参照して説明する。図２はインダクタの斜視図であり、図１はその分解斜視図である。磁性材料からなる成形体１０の中には、コイル２０の巻線部２１が埋め込まれている。コイル２０の両端のリード部２２は、図４のように成形体１０の対向する側面から外に導出された後、折り曲げ成形され、それぞれ成形体１０の側面に沿って延びている。
【０００７】
成形体１０は、磁性粉にエポキシ樹脂等の熱硬化性樹脂からなる結合剤を混合し、これを例えば１平方ｃｍ当たり２トン程度の圧力で加圧成形した後、１４０°Ｃ程度の温度で加熱、硬化させてある。磁性粉としては、鉄あるいはセンダスト、パーマロイ等の金属磁性粉が適している。磁性粉の粒子には絶縁処理を施してあり、成形体１０は絶縁性となっている。
【０００８】
成形体１０の両端部には、金属板からなる断面コの字形の電極３０をそれぞれ取付けてある。図３に示すように、電極３０はコイル２０のリード部２２と成形体１０に導電性接着剤４０で接着して固定してある。電極３０とリード部２２との電気的な接続も導電性接着剤４０によって同時に達成されている。リード部２２の端末２２ａは電極３０及び導電性接着剤４０で覆われており、外部に露出していない。
【０００９】
図５は本発明の他の実施例を示すもので、断面コの字形の電極３０に代えて断面Ｌ字形の電極３５を取付けたものである。本実施例では、成形体１０の対角線上の二つの角を切り欠いて切欠部１２を設け、この切欠部１２からコイル２０のリード部２２を引き出している。前記実施例と同様に、２本のリード部２２はそれぞれ成形体１０の対向する側面に沿って曲げられ、導電性接着剤で電極３５に接着されている。
【００１０】
【発明の効果】
本発明によれば、コイルのリード部と電極を溶接するスペースを成形体の内部に設ける必要がないので、インダクタの一層の小型化が可能である。また、リード部の端末が電極で覆われて外部に露出しないので、断線しにくく信頼性が向上する。成形体の内部にはコイルの巻線部のみが埋設されるので、成形時にクラックが発生するおそれも少ない。
【図面の簡単な説明】
【図１】本発明のインダクタの第１実施例を示す分解斜視図
【図２】同インダクタの斜視図
【図３】同インダクタの一部を拡大して示す部分断面正面図
【図４】同インダクタの製造途中の斜視図
【図５】本発明の第２実施例を示す下方から見た斜視図
【符号の説明】
１０  成形体
２０  コイル
２１  巻線部
２２  リード部
３０  電極
【図１】
2004165539.tif 000003
【図２】
2004165539.tif 000004
【図３】
2004165539.tif 000005
【図４】
2004165539.tif 000006
【図５】
2004165539.tif 000007